(57)【要約】  コントローラ（９０）は、キャリア信号（Ｅｏ）を正弦波信号（Ｅｒ，Ｅｓ，Ｅｔ）でパルス幅変調することによりＰＷＭ信号（Ｄｒ，Ｄｓ，Ｄｔ）を生成し、生成したＰＷＭ信号によりコンバータ（２）のスイッチング素子（３１〜３６）をオン，オフ駆動する。さらに、コントローラ（９０）は、前記パルス幅変調の変調条件を負荷（６）の大きさに応じて切換える。このように、負荷（６）の大きさに応じて変調条件を切換えることにより、高調波電流の抑制、昇圧、電源力率の低下を可能としながら電力損失の低減が図れる。
2015104886.tif 000002
【特許請求の範囲】
【請求項１】
交流電源の電圧を昇圧および直流変換するコンバータと、
パルス幅変調よりＰＷＭ信号を生成し、このＰＷＭ信号により前記コンバータを駆動し、かつ前記パルス幅変調の変調条件を当該電力変換装置の負荷に応じて切換えるコントローラと、
を備えることを特徴とする電力変換装置。
【請求項２】
前記コントローラは、前記パルス幅変調の変調率を前記負荷の大きさに応じて切換えることを特徴とする請求項１記載の電力変換装置。
【請求項３】
前記コントローラは、キャリア信号を正弦波信号でパルス幅変調することにより前記ＰＷＭ信号を生成し、このＰＷＭ信号により前記コンバータを駆動し、かつ前記キャリア信号の周波数を前記負荷の大きさに応じて切換えることを特徴とする請求項１記載の電力変換装置。
【請求項４】
前記交流電源は、三相交流電源であり、
前記コンバータは、第１および第２ダイオードの直列回路、第３および第４ダイオードの直列回路、第５および第６ダイオードの直列回路、前記三相交流電源のＲ相と前記第１，第２ダイオードの相互接続点との間に接続される第１リアクタ、前記三相交流電源のＳ相と前記第３，第４ダイオードの相互接続点との間に接続される第２リアクタ、前記三相交流電源のＴ相と前記第５，第６ダイオードの相互接続点との間に接続される第３リアクタ、前記第１〜第６ダイオードにそれぞれ並列接続された第１〜第６スイッチング素子を含み、前記第１，第３，第５ダイオードのカソードを正側出力端とし、前記第２，第４，第６ダイオードのアノードを負側出力端とする、
ことを特徴とする請求項１乃至請求項３のいずれか記載の電力変換装置。
【請求項５】
前記コンバータの出力電圧を所定周波数の交流電圧に変換するインバータ、
をさらに備え、
前記負荷は、前記インバータの出力により動作する、
ことを特徴とする請求項１乃至請求項３のいずれか記載の電力変換装置。
【発明の詳細な説明】
【技術分野】
【０００１】
本発明の実施形態は、交流電源の電圧を直流に変換し、変換した直流電圧を所定周波数の交流電圧に変換する電力変換装置に関する。
【背景技術】
【０００２】
交流電源の電圧をコンバータで直流に変換し、変換した直流電圧をインバータで所定周波数の交流電圧に変換する電力変換装置が知られている（特開2006-38432号公報）。上記コンバータにおけるスイッチング素子の電力損失は大きく、変換効率向上の妨げとなっている。【０００３】
リアクタ、ダイオード、スイッチング素子を有し、交流電源の電圧を昇圧および直流変換する昇圧型のコンバータは、スイッチング素子の電力損失が大きいことに加え、上記リアクタの電力損失も大きい。スイッチングをしなければ、変換効率は向上するが、そうすると高調波電流を抑制できなくなるとともに、昇圧ができなくなり、電源力率も低下する。【０００４】
本発明の実施形態の目的は、高調波電流の抑制、昇圧、および電源力率の低下を可能としながら、電力損失の低減が図れる電力変換装置を提供することである。【０００５】
請求項１の電力変換装置は、コンバータおよびコントローラを備える。上記コンバータは、交流電源の電圧を昇圧および直流変換する。上記コントローラは、パルス幅変調よりＰＷＭ信号を生成し、このＰＷＭ信号により前記コンバータを駆動し、かつ前記パルス幅変調の変調条件を当該電力変換装置の負荷に応じて切換える。
【図面の簡単な説明】
【０００６】
【図１】第１および第２実施形態の構成を示すブロック図。
【図２】第１実施形態の制御を示すフローチャート。
【図３】第１実施形態の変調率が“１”の場合のＰＷＭ信号生成を示す図。
【図４】第１実施形態の変調率が“２”の場合のＰＷＭ信号生成を示す図。
【図５】第２実施形態の低・中負荷領域の変換効率および高負荷領域の変換効率をキャリア信号の周波数をパラメータとして示す図。
【図６】第２実施形態の負荷の大小に応じたリアクタ損失をキャリア信号の周波数をパラメータとして示す図。
【図７】第２実施形態の負荷の大小に応じたデバイス損失をキャリア信号の周波数をパラメータとして示す図。
【図８】各実施形態の変形例の構成を示すブロック図。
【図９】同変形例における半導体スイッチの開閉タイミングを示す図。
【発明を実施するための最良の形態】
【０００７】
［１］第１実施形態  
以下、本発明の第１実施形態について図面を参照して説明する。  
図１に示すように、商用の三相交流電源１のＲ相，Ｓ相，Ｔ相にコンバータ２が接続され、そのコンバータ２の出力端に平滑コンデンサ４が接続される。そして、平滑コンデンサ４にインバータ５が接続され、そのインバータ５の出力端に負荷である例えばブラシレスＤＣモータ６の相巻線Ｌｕ，Ｌｖ，Ｌｗが接続される。【０００８】
コンバータ２は、三相交流電源１の電圧を昇圧および直流変換するもので、例えば１００Ｖの交流電圧を３００Ｖ程度の直流電圧に変換する。また、コンバータ２は、第１，第２ダイオード３１ａ，３２ａの直列回路、第３，第４ダイオード３３ａ，３４ａの直列回路、第５，第６ダイオード３５ａ，３６ａの直列回路を含む。ダイオード３１ａ，３２ａの相互接続点が三相交流電源１のＲ相に接続され、ダイオード３３ａ，３４ａの相互接続点が三相交流電源１のＳ相に接続され、ダイオード３５ａ，３６ａの相互接続点が三相交流電源１のＴ相に接続される。【０００９】
さらに、コンバータ２は、ダイオード３１ａ，３２ａの相互接続点と三相交流電源１のＲ相との接続ラインに挿入接続される第１リアクタ２１、ダイオード３３ａ，３４ａの相互接続点と三相交流電源１のＳ相との接続ラインに挿入接続される第２リアクタ２２、ダイオード３５ａ，３６ａの相互接続点と三相交流電源１のＴ相との接続ラインに挿入接続される第３リアクタ２３、ダイオード３１ａ〜３６ａにそれぞれ並列接続された第１〜第６スイッチング素子たとえばＭＯＳＦＥＴ（Metal Oxide Semiconductor Field Effect Transistor）３１〜３６を含む。ダイオード３１ａ，３３ａ，３５ａのカソードが正側出力端２ａとなり、ダイオード３２ａ，３４ａ，３６ａのアノードが負側出力端２ｂとなる。【００１０】
なお、ダイオード３１ａ〜３６ａは、ＭＯＳＦＥＴ３１〜３６の寄生ダイオードである。【００１１】
インバータ５は、ＭＯＳＦＥＴ５１，５２の直列回路、ＭＯＳＦＥＴ５３，５４の直列回路、ＭＯＳＦＥＴ５５，５６の直列回路を含み、これらＭＯＳＦＥＴ５１〜５６のスイッチングにより、コンバータ２の出力電圧（平滑コンデンサ４の電圧）を所定周波数の三相交流電圧に変換し出力する。ＭＯＳＦＥＴ５１，５２の相互接続点、ＭＯＳＦＥＴ５３，５４の相互接続点、ＭＯＳＦＥＴ５５，５６の相互接続点が、インバータ５の出力端となる。なお、ＭＯＳＦＥＴ５１〜５６は、寄生ダイオード５１ａ〜５６ａを有する。【００１２】
ブラシレスＤＣモータ６は、星形結線の相巻線Ｌｕ，Ｌｖ，Ｌｗを有する固定子、および永久磁石を有する回転子により構成される。相巻線Ｌｕ，Ｌｖ，Ｌｗに電流が流れることにより生じる磁界と永久磁石が作る磁界との相互作用により、回転子が回転する。相巻線ＬｕがＭＯＳＦＥＴ５１，５２の相互接続点に接続され、相巻線ＬｖがＭＯＳＦＥＴ５３，５４の相互接続点に接続され、相巻線ＬｗがＭＯＳＦＥＴ５５，５６の相互接続点に接続される。【００１３】
三相交流電源１とリアクタ２１，２２，２３との間の通電路に、入力電流検知用の電流センサ７１，７２，７３が配設される。インバータ５の出力端とブラシレスＤＣモータ６との間の通電路に、出力電流（相巻線電流）検知用の電流センサ８１，８２，８３が配設される。これら電流センサの検知結果がコントローラ９０に供給される。【００１４】
コントローラ９０は、主要な機能としてコンバータ制御部９１およびインバータ制御部９２を含む。  
コンバータ制御部９１は、所定周波数のキャリア信号（三角波信号）Ｅｏを正弦波信号Ｅｒ，Ｅｓ，Ｅｔでパルス幅変調（ＰＷＭ）することにより、つまりキャリア信号Ｅｏの電圧と正弦波信号Ｅｒ，Ｅｓ，Ｅｔの電圧との比較により、ＰＷＭ信号Ｄｒ，Ｄｓ，Ｄｔを生成する。さらに、コンバータ制御部９１は、生成したＰＷＭ信号Ｄｒ，Ｄｓ，Ｄｔによりコンバータ２のＭＯＳＦＥＴ３１〜３６をオン，オフ駆動し、かつ上記パルス幅変調の変調条件（変調率）を当該電力変換装置の負荷の大きさに応じて切換える。負荷の大きさとは、ブラシレスＤＣモータ６の消費電力のことである。正弦波信号Ｅｒ，Ｅｓ，Ｅｔは、三相交流電源１のＲ相電圧、Ｓ相電圧、Ｔ相電圧の周期に同期するもので、電流センサ７１，７２，７３の検知結果に基づいてコンバータ制御部９１により生成される。【００１５】
インバータ制御部９２は、所定周波数のキャリア信号（三角波信号）Ｅｉｏを正弦波信号Ｅｕ，Ｅｖ，Ｅｗでパルス幅変調（ＰＷＭ）することにより、つまりキャリア信号Ｅｉｏの電圧と正弦波信号Ｅｕ，Ｅｖ，Ｅｗの電圧との比較により、ＰＷＭ信号Ｄｕ，Ｄｖ，Ｄｗを生成する。さらに、インバータ制御部９２は、生成したＰＷＭ信号Ｄｕ，Ｄｖ，Ｄｗによりインバータ５のＭＯＳＦＥＴ５１〜５６をオン，オフ駆動する。正弦波信号Ｅｕ，Ｅｖ，Ｅｗは、ブラシレスＤＣモータの相巻線Ｌｕ，Ｌｖ，Ｌｗに誘起する電圧の周期に同期するもので、電流センサ８１，８２，８３の検知結果に基づいてインバータ制御部９２により生成される。【００１６】
つぎに、コンバータ２の動作について説明する。  
三相交流電源１のＲ相電圧が正レベルとなる位相では、三相交流電源１からリアクタ２１および正側ダイオード３１ａを通って平滑コンデンサ４に電流が流れる。平滑コンデンサ４を経た電流は、先ず負側ダイオード３４ａおよびリアクタ２２を通って三相交流電源１のＳ相に戻り、次にＲ相電圧の位相が進むにつれ、負側ダイオード３６ａおよびリアクタ２３を通って三相交流電源１のＴ相に戻る。同じく三相交流電源１のＲ相電圧が正レベルとなる位相では、コンバータ制御部９１で生成されるＰＷＭ信号Ｄｕに応じてＭＯＳＦＥＴ３２がオン，オフを繰り返す。ＭＯＳＦＥＴ３２のオン時、ダイオード３１ａ，３２ａの相互接続点がコンバータ２の負側出力端２ｂと導通し、三相交流電源１に対してリアクタ２１、ＭＯＳＦＥＴ３２、負側ダイオード３４ａ、リアクタ２２を介した短絡路が形成される。この短絡路の形成により、リアクタ２１，２２にエネルギ（電荷）が蓄えられる。リアクタ２１，２２に蓄えられたエネルギは、ＭＯＳＦＥＴ３２のオフ時に平滑コンデンサ４に供給される。このエネルギ供給により、昇圧がなされる。【００１７】
三相交流電源１のＳ相電圧が正レベルとなる位相では、三相交流電源１からリアクタ２２および正側ダイオード３３ａを通って平滑コンデンサ４に電流が流れる。平滑コンデンサ４を経た電流は、先ず負側ダイオード３６ａおよびリアクタ２３を通って三相交流電源１のＴ相に戻り、次にＳ相電圧の位相が進むにつれ、負側ダイオード３２ａおよびリアクタ２１を通って三相交流電源１のＲ相に戻る。同じく三相交流電源１のＳ相電圧が正レベルとなる位相では、コンバータ制御部９１で生成されるＰＷＭ信号Ｄｖに応じてＭＯＳＦＥＴ３４がオン，オフを繰り返す。ＭＯＳＦＥＴ３４のオン時、ダイオード３３ａ，３４ａの相互接続点がコンバータ２の負側出力端と導通し、三相交流電源１に対してリアクタ２２、ＭＯＳＦＥＴ３４、負側ダイオード３６ａ、リアクタ２３を介した短絡路が形成される。この短絡路の形成により、リアクタ２２，２３にエネルギ（電荷）が蓄えられる。リアクタ２２，２３に蓄えられたエネルギは、ＭＯＳＦＥＴ３４のオフ時に平滑コンデンサ４に供給される。このエネルギ供給により、昇圧がなされる。【００１８】
三相交流電源１のＴ相電圧が正レベルとなる位相では、三相交流電源１からリアクタ２３および正側ダイオード３５ａを通って平滑コンデンサ４に電流が流れる。平滑コンデンサ４を経た電流は、先ず負側ダイオード３２ａおよびリアクタ２１を通って三相交流電源１のＲ相に戻り、次にＴ相電圧の位相が進むにつれ、負側ダイオード３４ａおよびリアクタ２２を通って三相交流電源１のＳ相に戻る。同じく三相交流電源１のＴ相電圧が正レベルとなる位相では、コンバータ制御部９１で生成されるＰＷＭ信号Ｄｗに応じてＭＯＳＦＥＴ３６がオン，オフを繰り返す。ＭＯＳＦＥＴ３６のオン時、ダイオード３５ａ，３６ａの相互接続点がコンバータ２の負側出力端と導通し、三相交流電源１に対してリアクタ２３、ＭＯＳＦＥＴ３６、負側ダイオード３２ａ、リアクタ２１を介した短絡路が形成される。この短絡路の形成により、リアクタ２３，２１にエネルギ（電荷）が蓄えられる。リアクタ２３，２１に蓄えられたエネルギは、ＭＯＳＦＥＴ３６のオフ時に平滑コンデンサ４に供給される。このエネルギ供給により、昇圧がなされる。【００１９】
Ｒ相入力電圧，Ｓ相入力電圧，Ｔ相入力電圧のそれぞれが負レベルとなる位相では、正側ダイオード３１ａ，３３ａ，３５ａに並列接続されているＭＯＳＦＥＴ３１，３３，３５がオン，オフを繰り返す。これらＭＯＳＦＥＴ３１，３３，３５のオン，オフに伴う動作については、正負が反対となるだけで、基本的には正レベル期間と同じ動作パターンとなる。よって、その詳細な説明は省略する。【００２０】
つぎに、コントローラ９０が実行する制御を図２のフローチャートに示す。  
コントローラ９０は、図２のフローチャートに示すように、当該電力変換装置の負荷の大きさ（ブラシレスＤＣモータ６の消費電力）を電流センサ７１，７２，７３の検知電流（入力電流）から検出する（ステップＳ１）。そして、コントローラ９０は、検出した負荷の大きさが、高負荷であるか低・中負荷であるかを判定する（ステップＳ２）。例えば、ブラシレスＤＣモータ６の消費電力が定格消費電力の７５％以上の場合、コンバータ制御部９１は、負荷が高負荷であると判定する。ブラシレスＤＣモータ６の消費電力が定格消費電力の７５％未満の場合、コンバータ制御部９１は、負荷が低・中負荷であると判定する。【００２１】
上記判定結果が高負荷の場合（ステップＳ２のＹＥＳ）、コントローラ９０は、パルス幅変調の変調率を“２”未満の例えば“１”に設定する（ステップＳ３）。【００２２】
変調率“１”は、図３に示すように、キャリア信号Ｅｏと同じ最大電圧レベルを有する正弦波信号Ｅｕ，Ｅｖ，Ｅｒを生成し、その正弦波信号Ｅｕ，Ｅｖ，Ｅｒによってキャリア信号Ｅｏをパルス幅変調することである。この変調率“１”のパルス幅変調により、３つの相のＭＯＳＦＥＴを共にスイッチングするための３相スイッチングモードのＰＷＭ信号Ｄｕ，Ｄｖ，Ｄｗが得られる。【００２３】
高調波電流の悪化が懸念される高負荷領域では、この３相スイッチングモードを選択して３つの相のＭＯＳＦＥＴのオン，オフを繰り返すことにより、コンバータ２への入力電流に含まれる高調波電流を抑制できるとともに、コンバータ２の十分な昇圧作用が得られる。なお、パルス幅変調の変調率が小さいほど、コンバータ２の昇圧レベルが大きくなる。【００２４】
なお、変調率“１”に代えて、変調率“１．１”〜“１．９”のいずれかを設定してもよい。変調率“１．１”〜“１．９”のいずれかを設定した場合、２つの相のＭＯＳＦＥＴを共にスイッチングして残りの１つの相のＭＯＳＦＥＴはスイッチングさせない２相スイッチングモードのＰＷＭ信号Ｄｕ，Ｄｖ，Ｄｗが得られる。この２相スイッチングモードを採用した場合でも、コンバータ２への入力電流に含まれる高調波電流を抑制できるとともに、コンバータ２の十分な昇圧作用が得られる。【００２５】
一方、上記判定結果が低・中負荷の場合（ステップＳ２のＮＯ）、コントローラ９０は、パルス幅変調の変調率を“２”以上の例えば“２”に設定する（ステップＳ４）。【００２６】
変調率“２”は、図４に示すように、キャリア信号Ｅｏの２倍の最大電圧レベルを有する正弦波信号Ｅｕ，Ｅｖ，Ｅｒを生成し、その正弦波信号Ｅｕ，Ｅｖ，Ｅｒによってキャリア信号Ｅｏをパルス幅変調することである。パルス幅変調の変調率が“２”以上の場合、１つの相のＭＯＳＦＥＴをスイッチングして残りの２つの相のＭＯＳＦＥＴはスイッチングさせない１相スイッチングモードのＰＷＭ信号Ｄｕ，Ｄｖ，Ｄｗが得られる。【００２７】
１相スイッチングモードの場合、Ｒ相電圧，Ｓ相電圧，Ｔ相電圧が正レベルとなる位相の前縁側期間および後縁側期間においてＭＯＳＦＥＴ３２，３４，３６がオン，オフし、Ｒ相電圧，Ｓ相電圧，Ｔ相電圧が負レベルとなる位相の前縁側期間および後縁側期間においてＭＯＳＦＥＴ３１，３３，３５がオン，オフを繰り返すので、コンバータ２への入力電流の波形を正弦波に追従性よく近似させることができる。これにより、電源力率が向上する。ただし、コンバータ２の昇圧効果は、少ないか、もしくはほとんど得られない。【００２８】
また、１相スイッチングモードの場合は、ＭＯＳＦＥＴ３１〜３６のオン，オフ回数が少ないので、ＭＯＳＦＥＴ３１〜３６およびリアクタ２１，２２，２３における電力損失も低減する。【００２９】
このように、負荷の大きさに応じて変調率を切換えることにより、高調波電流の抑制、昇圧、電源力率の低下を可能としながら電力損失の低減が図れる。ひいては、低・中負荷から高負荷まで全運転域の変換効率が向上する。【００３０】
［２］第２実施形態  
本発明の第２実施形態について説明する。  
コントローラ９０のコンバータ制御部９１は、コンバータ２の出力電圧が一定となるようにパルス幅変調の変調率を変更しながら、コンバータ２のパルス幅変調の変調条件としてキャリア信号Ｅｏの周波数（キャリア周波数という）を当該電力変換装置の負荷の大きさに応じて切換える。コンバータ２の出力電圧が一定となるようにパルス幅変調の変調率を変更する制御とは、負荷が小さい場合は変調率を大きくし、負荷が大きい場合は変調率を小さくする制御である。  
他の構成は第１実施形態と同じなので、その説明は省略する。【００３１】
すなわち、コンバータ制御部９１は、低・中負荷領域では高キャリア周波数たとえば１３KHzを設定し、高負荷領域では低キャリア周波数たとえば５KHzを設定する。【００３２】
高キャリア周波数を設定した場合、生成されるＰＷＭ信号Ｄｒ，Ｄｓ，Ｄｔの周波数が高くなり、それに伴ってＭＯＳＦＥＴ３１〜３６のオン，オフ回数が多くなる。低キャリア周波数を設定した場合、生成されるＰＷＭ信号Ｄｒ，Ｄｓ，Ｄｔの周波数が低くなり、それに伴ってＭＯＳＦＥＴ３１〜３６のオン，オフ回数が少なくなる。【００３３】
低・中負荷領域の変換効率と高負荷領域の変換効率とをキャリア周波数５KHz，９KHz，１３KHzをパラメータとして示したのが図５である。低・中負荷領域の変換効率は、１３KHzが最も良く、次に良いのが９KHz、最も低いのが５KHzである。高負荷領域の変換効率は、５KHzが最も良く、次に良いのが９KHz、最も低いのが１３KHzである。【００３４】
このように負荷およびキヤリア周波数に応じて変換効率が変化する理由を検討すると、電力損失には、リアクタ２１，２２，２３の電力損失であるいわゆるリアクタ損失、およびＭＯＳＦＥＴ３１〜３６の電力損失であるいわゆるデバイス損失がある。このうち、リアクタ損失をキャリア周波数５KHz，９KHz，１３KHzをパラメータとして示したのが図６であり、キャリア周波数が低いほどリアクタ損失が小さくなる。一方、デバイス損失をキャリア周波数５KHz，９KHz，１３KHzをパラメータとして示したのが図７であり、キャリア周波数が高いほどデバイス損失が小さくなる。【００３５】
図６および図７から分かるように、ブラシレスＤＣモータ６の消費電力が定格消費電力の２５％や５０％である低・中負荷時の電力損失に占めるリアクタ損失とデバイス損失の割合は、リアクタ損失の方が多い。ブラシレスＤＣモータ６の消費電力が定格消費電力の７５％や１００％である高負荷時の電力損失に占めるリアクタ損失とデバイス損失の割合は、デバイス損失の方が多い。【００３６】
これらの点を考慮すると、低・中負荷領域では、デバイス損失の低減を目指したほうが変換効率低減に効果的であることから、リアクタ損失がより小さくなる高キャリア周波数１３KHzを選定するのがよい。高負荷領域では、デバイス損失の低減を目指したほうが変換効率低減に効果的であることから、デバイス損失がより小さくなる低キャリア周波数５KHzを選定するのがよい。【００３７】
このように、負荷の大きさに応じてキャリア周波数を切換えることにより、低・中負荷から高負荷まで全運転域の変換効率が向上する。【００３８】
［３］第１および第２実施形態の変形例について説明する。  
図８に示すように、リアクタ２１に対し、リアクタ９１と半導体スイッチ９４との直列回路が並列接続される。リアクタ２２に対し、リアクタ９２と半導体スイッチ９５との直列回路が並列接続される。リアクタ２３に対し、リアクタ９３と半導体スイッチ９６との直列回路が並列接続される。【００３９】
リアクタ９１，９２，９３は、リアクタ２１，２２，２３よりもインダクタンスが小さい。半導体スイッチ９４，９５，９６は、コントローラ９０の指令に応じて開閉する。【００４０】
コントローラ９０のコンバータ制御部９１は、低・中負荷時、半導体スイッチ９４，９５，９６を開く。半導体スイッチ９４が開くと、ダイオード３１ａ，３２ａの相互接続点と三相交流電源１のＲ相との接続ラインに、リアクタ２１が投入されてリアクタ９１は投入されない。半導体スイッチ９５が開くと、ダイオード３３ａ，３４ａの相互接続点と三相交流電源１のＳ相との接続ラインに、リアクタ２２が投入されてリアクタ９２は投入されない。半導体スイッチ９６が開くと、ダイオード３５ａ，３６ａの相互接続点と三相交流電源１のＴ相との接続ラインに、リアクタ２３が投入されてリアクタ９３は投入されない。【００４１】
このように、リアクタ２１，２２，２３のそれぞれ高インダクタンスを三相交流電源１との各接続ラインに投入することにより、高調波電流の抑制効果が向上する。この場合、コンバータ２の出力電圧が一定となるようにパルス幅変調の変調率を変更する制御を実行することにより、コンバータ２のスイッチング回数を低減できてデバイス損失の低減効果が得られる。【００４２】
コントローラ９０のコンバータ制御部９１は、高負荷時、半導体スイッチ９４，９５，９６を閉じる。半導体スイッチ９４が閉じると、ダイオード３１ａ，３２ａの相互接続点と三相交流電源１のＲ相との接続ラインに、リアクタ２１，９１の並列回路が投入される。半導体スイッチ９５が閉じると、ダイオード３３ａ，３４ａの相互接続点と三相交流電源１のＳ相との接続ラインに、リアクタ２２，９２の並列回路が投入される。半導体スイッチ９６が閉じると、ダイオード３５ａ，３６ａの相互接続点と三相交流電源１のＴ相との接続ラインに、リアクタ２３，９３の並列回路が投入される。【００４３】
このように、リアクタ２１，９１の並列回路の低インダクタンス、リアクタ２２，９２の並列回路の低インダクタンス、リアクタ２３，９３の並列回路の低インダクタンスを三相交流電源１との各接続ラインに投入することにより、リアクタ損失の低減効果が得られる。この場合、コンバータ２の出力電圧が一定となるようにパルス幅変調の変調率を変更する制御を実行すると、インバータ５のスイッチング回数を増加させることになるが、高負荷領域ではスイッチング損失の影響度が低下するため、結果として低損失化につながる。【００４４】
また、コントローラ９０のコンバータ制御部９１は、半導体スイッチ９４，９５，９６をコンバータ２の動作停止中に開閉するいわゆる零電流スイッチングを行う。これにより、過大なサージ電圧／電流の発生を生じることなく、半導体スイッチ９４，９５，９６を開閉できる。零電流スイッチングは、具体的には、図９に示すようなダイオード整流モードにおけるＲ相電流，Ｓ相電流，Ｔ相電流の無通流期間を電流センサ７１，７２，７３により検出し、検出した無通流期間において開閉を指令することで実現できる。【００４５】
［４］他の変形例
上記各実施形態では、電流センサ７１，７２，７３の検知結果に基づいて負荷の大きさを検出したが、インバータ５の出力側の電流センサ８１，８２，８３の検知結果に基づいて負荷の大きさを検出してもよい。【００４６】
上記各実施形態では、負荷がブラシレスＤＣモータである場合を例に説明したが、負荷に限定はなく、種々の電気機器への適用が可能である。【００４７】
上記各実施形態および変形例は、例として提示したものであり、発明の範囲を限定することは意図していない。この新規な各実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、請求の範囲に記載された発明とその均等の範囲に含まれる。
【産業上の利用可能性】
【００４８】
本発明の電力変換装置は、空気調和機等への利用が可能である。
【図１】
2015104886.tif 000003
【図２】
2015104886.tif 000004
【図３】
2015104886.tif 000005
【図４】
2015104886.tif 000006
【図５】
2015104886.tif 000007
【図６】
2015104886.tif 000008
【図７】
2015104886.tif 000009
【図８】
2015104886.tif 000010
【図９】
2015104886.tif 000011
【国際調査報告】
2015104886.tif 000012
2015104886.tif 000013
2015104886.tif 000014
2015104886.tif 000015